(57)【要約】【課題】  スリーブ状の外包型展示兼用包装容器において、内包される筒状物品や筒状容器が視認可能であって、簡単に脱落することが無く、且つ、競合品との差別化を有する展示板が前倒れすることなく商品訴求力を損なうことの無い展示兼用包装容器を提供する。【解決手段】  側面板、上面板、側面板、底面板、貼着板から形成される下部係止筒状体と、底面板の端縁から延設され抱持される商品より高さを有する背面板と、底面板の対向する他方の端縁から連設された蓋面板、閉止板、差込板により形成される上部係止抱持体とからなり、上面板に商品底部係止孔が、背面板には閉止板並びに差込板が挿入通過する差込溝が、底面板と背面板との折線略中央部には差込板が挿入係止される係止溝が、蓋面板の所定位置には商品肩部係止孔と閉止板近接部に商品後部固定片がそれぞれ穿設され、蓋面板の端辺両側に背面板支持突起を突設したことを特徴とする展示兼用包装容器。【選択図】        図４
2008273535.tif 000002
【特許請求の範囲】
【請求項１】
折線を介して連設された側面板、上面板、側面板、底面板および貼着板により形成される下部係止筒状体と、前記底面板の一方の端縁から折線を介して延設される背面板と、前記底面板の対向する他方の端縁から折線を介して連設された蓋面板、閉止板、差込板により形成される上部係止抱持体とからなり、前記上面板には商品底部係止孔が穿設され、前記背面板には前記閉止板並びに差込板が挿入通過する差込溝が穿設され、前記底面板と背面板との折線略中央部には前記差込板が挿入係止される係止溝が穿設され、前記蓋面板には商品肩部係止孔と閉止板近接部に折線を介して商品後部固定片がそれぞれ穿設されると共に、該蓋面板の閉止板側端辺両側に背面板支持突起を突設してなることを特徴とする展示兼用包装容器。
【請求項２】
前記蓋面板の閉止板近接部に穿設される商品後部固定片が、穿孔状からなる商品後部固定孔であることを特徴とする請求項１記載の展示兼用包装容器。
【発明の詳細な説明】
【技術分野】
【０００１】
本発明は、主に筒状物品若しくは内容物を充填した筒状容器を被包する展示兼用包装容器に関する。
【背景技術】
【０００２】
従来、食料品ではジャムや粘性調味料、化粧料ではクリーム類や粘性整髪料、その他種々の商品が、瓶、缶、或いはプラスチック成形品の螺子蓋を有する筒状容器に充填収納され、そのうち比較的多数の商品は、筒状容器全体に熱収縮フィルムからなる外装を施したり、螺子嵌合部にシール処理や前記熱収縮フィルムによる部分包装を施して流通されており、一部の高級商品や薬品系商品は、筒状容器のまま或いは前記外包加工のうえ紙箱などに収納されて流通されている。
【０００３】
上記した熱収縮フィルムによる外装によれば、店頭展示状態において、被包された筒状容器自体が良く視認でき、展示スペースにも無駄が生じないが、同種の競合商品は比較的近似した商品フォルム或いは容器デザインとなることから識別力において劣り、商品訴求の点でも差別化が図りにくいものである。また、紙箱などに収納される場合は、商品の告知や商品内容の説明など紙箱に施されるデザインにより商品訴求力は上昇するものの、内包された筒状容器が視認できないので消費者にとっては使用状態を想像し難く、過剰な包装と捉えられる可能性もあり、最近では、筒状物品や筒状容器にシール等を貼付したり、板紙等からなるスリーブ状の包装装置が提案されている（例えば、特許文献１参照）。
【特許文献１】実開平６−４９３８３号公報
【０００４】
前記特許文献１に見られる構造の包装装置、或いはスリーブ状の外包は、内包される筒状物品や筒状容器が視認可能で、商品告知や商品内容の説明なども外包に施すことができ、商品訴求力はあるものの、嵌合或いは係合部分が少ないので収納並びに包装がし易い反面、内包される筒状物品や筒状容器から外れやすいという欠点が有り、ほぼ同じ高さで包装されることから同種商品との識別力において相違点が表しにくく、競合商品との差別化の点でより効果的な包装容器が求められていた。また、スリーブ状の外包によく用いられるスリーブからの延長部を展示板とする形式は、内包される筒状物品や筒状容器の形状によっては前倒れして、展示機能が維持できず、商品訴求力を却って損なうという不都合があった。
【発明の開示】
【発明が解決しようとする課題】
【０００５】
そこで、本発明の目的は、上記問題を解決するためになしたものであって、スリーブ状の外包型展示兼用包装容器において、内包される筒状物品や筒状容器が視認可能であって、簡単に脱落することが無く、且つ、競合品との差別化を有する展示板が前倒れすることなく商品訴求力を損なうことの無い展示兼用包装容器を提供することにある。
【課題を解決するための手段】
【０００６】
上記課題を解決するため、請求項１の発明は、折線を介して連設された側面板、上面板、側面板、底面板および貼着板により形成される下部係止筒状体と、前記底面板の一方の端縁から折線を介して延設される背面板と、前記底面板の対向する他方の端縁から折線を介して連設された蓋面板、閉止板、差込板により形成される上部係止抱持体とからなり、前記上面板には商品底部係止孔が穿設され、前記背面板には前記閉止板並びに差込板が挿入通過する差込溝が穿設され、前記底面板と背面板との折線略中央部には前記差込板が挿入係止される係止溝が穿設され、前記蓋面板には商品肩部係止孔と閉止板近接部に折線を介して商品後部固定片がそれぞれ穿設されると共に、該蓋面板の閉止板側端辺両側に背面板支持突起を突設してなることを特徴とする展示兼用包装容器である。
【０００７】
請求項２の発明は、前記蓋面板の閉止板近接部に穿設される商品後部固定片が、穿孔状からなる商品後部固定孔であることを特徴とする請求項１記載の展示兼用包装容器である。
【発明の効果】
【０００８】
本発明の展示兼用包装容器は、側面板、上面板、側面板、底面板および貼着板により形成される下部係止筒状体と、前記底面板の一方の端縁から折線を介して延設される背面板と、前記底面板の対向する他方の端縁から折線を介して連設された蓋面板、閉止板、差込板により形成される上部係止抱持体とで強固に抱持され被包されるので、内包される筒状物品や筒状容器から外れ難く、被包される筒状物品や筒状容器が被包状態においても視認可能で、消費者は使用状態を想像し易く、商品告知や商品内容の説明を外包部分に施すことが出来るので、消費者の商品識別力に優れ、さらに背面板の展示面部分が被包される筒状物品や筒状容器より飛び出した状態で展示されるので、競合商品との差別化を図ることに効果がある。
【０００９】
蓋面板に、商品を抱持被包するとき商品の前面肩部が当接する位置に紡錘形状の商品肩部係止孔を穿設すると共に、同じく商品の後面肩部が当接する位置に商品後部固定片或いは商品後部係止孔を穿設したので、蓋面板の頂部構成部分の移動が規制され安定した被包状態を保つ効果がある。
【００１０】
また、上記のように蓋面板の頂部構成部分の移動が規制され安定した被包状態を保つと共に、蓋面板の端辺に突設された背面板支持突起により、背面板の底面板からの直立状態が保持され、消費者への消費訴求を損なうことがないという効果がある。
【発明を実施するための最良の形態】
【００１１】
上記本発明について、図面等を用いて以下に詳述する。図１は本発明に係る展示兼用包装容器の第一実施例のブランク状態を示す展開平面図。図２は同じく第一実施例の組立途中状態を示す説明用斜視図。図３は同じく第一実施例の組立途中を背面板側から見た係止状態を示す説明用斜視図。図４は同じく第一実施例の組立被包完了状態を示す説明用斜視図。図５は本発明に係る展示兼用包装容器の第二実施例のブランク状態を示す展開平面図。図６は同じく第二実施例の組立被包完了状態を示す説明用斜視図である。
【００１２】
図１は本発明に係る展示兼用包装容器の第一実施例のブランク状態を示す展開平面図であって、プラスチックシート材等を打抜き加工して形成されるブランクＡは、折線Ｌ４、Ｌ１、Ｌ２、Ｌ３を介して左から貼着板５、底面板１、側面板２、上面板３、側面板４を順に連設し、前記底面板１の下端には折線Ｌ５を介して背面板６が延設され、同じく前記底面板１の上端には折線Ｌ６を介して該底面板１と同幅の蓋面板７が延設され、さらに前記蓋面板７の上端中央部からは折線Ｌ７、Ｌ８を介して狭幅の閉止板８、差込板９が連設されている。前記上面板３の中央部は円形の商品底部係止孔１０が穿設され、前記底面板１と背面板６間の折線Ｌ５の略中央部には所定幅の係止溝１５が穿設され、前記背面板６の略中央部で前記折線Ｌ５から後記商品Ｃの高さ寸法の位置に該折線Ｌ５と平行な差込溝１４が穿設されており、前記蓋面板７の前記折線Ｌ６寄りで該蓋面板７が後記商品Ｃを抱持被包するとき商品Ｃの前面肩部が当接する位置に紡錘形状の商品肩部係止孔１１が穿設されると共に、同じく前記蓋面板７の前記折線Ｌ７近傍の中央部には折線Ｌ９を介して半円形状の商品後部固定片１２が穿設されている。さらに前記蓋面板７の閉止板８側の両端辺からは弧状の背面板支持突起１３、１３が突設されている。尚、前記折線Ｌ９と折線Ｌ７との距離ｅは、前記上面板３に穿設された商品底部係止孔１０と上面板３の上端辺間の距離ｄ、すなわち後記商品Ｃの後部当接位置と上面板３の上端辺間の距離に略等しいものである。
【００１３】
図２は同じく第一実施例の組立途中状態を示す説明用斜視図、図３は同じく第一実施例の組立途中を背面板側から見た係止状態を示す説明用斜視図であって、図２においては、貼着部を破線で表し、図３においては、被包された商品Ｃの一部及び背面板によって隠される蓋面板或いは下部係止筒状体の一部を破線で表した。
本発明の展示兼用包装容器の組立にあたっては、先ず折線Ｌ１、Ｌ２、Ｌ３、Ｌ４を用いて折り曲げ、側面板４と貼着板５を接合し、底面板１、側面板２、上面板３、側面板４から構成される下部係止筒状体を形成し、商品Ｃを上面板３に穿設した商品底部係止孔１０内に挿入して係止した後、折線Ｌ５を用いて背面板６を起立させる。次いで、折線Ｌ６用いて蓋面板７を起立させた後、折線Ｌ９を用いて商品後部固定片１２を内向きに折り込み、前記蓋面板７で商品Ｃを抱持するように被包しつつ商品肩部係止孔１１を商品Ｃの前面肩部に当接させ、前記商品後部固定片１２を商品Ｃの後面肩部に当接させると共に、閉止板８と差込板９を背面板６に穿設した差込溝１４より挿入通過させ、それぞれ折線Ｌ７、Ｌ８を用いて折り曲げ、差込板９を係止溝１５に挿入係止して容器Ａ’の組立を完了する。
【００１４】
図４は同じく第一実施例の組立被包完了状態を示す説明用斜視図であって、蓋面板によって隠される商品の一部及び下部係止筒状体の一部を破線で表した。
商品Ｃを抱持被包した容器Ａ’において、商品Ｃは下部係止筒状体の上面板３の商品底部係止孔１０に嵌入すると共に、蓋面板７に抱持され且つ商品肩部係止孔１１により固定され脱落することがなく、また前記蓋面板７は前記商品肩部係止孔１１と商品後部固定片１２により頂部構成部分の移動が規制され安定した被包状態を保ち、背面板６は前記蓋面板７頂部構成部分の安定と端辺に突設された背面板支持突起１３、１３により、底面板１からの直立状態を保持している。
【００１５】
図５は本発明に係る展示兼用包装容器の第二実施例のブランク状態を示す展開平面図であって、第一実施例と同じくプラスチックシート材等を打抜き加工して形成されるブランクＢは、折線Ｌ１０４、Ｌ１０１、Ｌ１０２、Ｌ１０３を介して左から貼着板１０５、底面板１０１、側面板１０２、上面板１０３、側面板１０４を順に連設し、前記底面板１０１１の下端には折線Ｌ１０５を介して背面板１０６が延設され、同じく前記底面板１０１の上端には折線Ｌ１０６を介して該底面板１０１と同幅の蓋面板１０７が延設され、さらに前記蓋面板１０７の上端中央部からは折線Ｌ１０７、Ｌ１０８を介して狭幅の閉止板１０８、差込板１０９が連設されている。前記上面板１０３の中央部は円形の商品底部係止孔１１０が穿設され、前記底面板１０１と背面板１０６間の折線Ｌ１０５の略中央部には所定幅の係止溝１１５が穿設され、前記背面板１０６の略中央部で前記折線Ｌ１０５から商品Ｃの高さ寸法より短い位置に該折線Ｌ１０５と平行で帯状に穿孔状の差込溝１１４が穿設されており、前記蓋面板１０７の前記折線Ｌ１０６寄りで該蓋面板１０７が商品Ｃを抱持被包するとき商品Ｃの前面肩部が当接する位置に紡錘形状の商品肩部係止孔１１１が穿設されると共に、同じく前記蓋面板１０７の前記折線Ｌ１０７近傍の中央部で商品Ｃを抱持被包するとき商品Ｃの後面肩部が当接する位置に紡錘形状の商品後部係止孔１１２が穿設されている。さらに前記蓋面板１０７の閉止板１０８側の両端辺からは弧状の背面板支持突起１１３、１１３が突設されている。尚、前記商品後部係止孔１１２の紡錘形状両端突出部と折線Ｌ１０７との距離ｆは、前記上面板１０３に穿設された商品底部係止孔１１０と上面板１０３の上端辺間の距離ｄ、すなわち商品Ｃの後部当接位置と上面板１０３の上端辺間の距離に略等しいものである。尚、底面板１０１の両側端の折線Ｌ１０４及びＬ１０１上下端近傍にそれぞれ穿設した内向きコ字状の突起は、それぞれ脚部突起１０６である。
【００１６】
本発明に係る展示兼用包装容器の第二実施例の組立に関しては、凡そ第一実施例に準ずるので図示並びに説明は省略する。
【００１７】
図６は同じく第二実施例の組立被包完了状態を示す説明用斜視図であって、前述のように背面板１０６の略中央部に穿設した差込溝１１４の穿設位置を折線ｌ０５から商品Ｃの高さ寸法より短い位置としたので、蓋面板１０７が商品Ｃを抱持被包した際に該蓋面板１０７の上端部当接位置は紡錘形状の穿孔による商品後部係止孔１１２によって係止することが可能となるものである。また、閉止板１０８及び差込板１０９の挿入操作をさらに容易とするため、帯状に穿孔状の差込溝１１４とした。さらに、底面板１０１の両側端の折線Ｌ１０４及びＬ１０１に穿設された脚部突起１０６は底面板１０１の膨出による不安定解消のために設けられている。
【図面の簡単な説明】
【００１８】
【図１】本発明に係る展示兼用包装容器の第一実施例のブランク状態を示す展開平面図。
【図２】同じく第一実施例の組立途中状態を示す説明用斜視図。
【図３】同じく第一実施例の組立途中を背面板側から見た係止状態を示す説明用斜視図。
【図４】同じく第一実施例の組立被包完了状態を示す説明用斜視図。
【図５】本発明に係る展示兼用包装容器の第二実施例のブランク状態を示す展開平面図。
【図６】同じく第二実施例の組立被包完了状態を示す説明用斜視図。
【符号の説明】
【００１９】
Ａ              容器ブランク
Ａ’            容器
Ｃ              商品
ｄ              上面板上端と商品底部固定孔間の距離
ｅ              折線Ｌ７とＬ９間の距離
１              底面板
２、４          側面板
３              上面板
５              貼着板
６              背面板
７              蓋面板
８              閉止板
９              差込板
１０              商品底部固定孔
１１              商品肩部係止孔
１２              商品後部固定片
１３、１３        背面板支持突起
１４              差込溝
１５              係止溝
Ｌ１〜Ｌ９        折線
Ｂ              容器ブランク
Ｂ’            容器
Ｃ              商品
ｄ              上面板上端と商品底部固定孔間の距離
ｆ              折線Ｌ１０７と商品後部係止孔の紡錘形状両端突出部間の距離
１０１              底面板
１０２、１０４      側面板
１０３              上面板
１０５              貼着板
１０６              背面板
１０７              蓋面板
１０８              閉止板
１０９              差込板
１１０              商品底部固定孔
１１１              商品肩部係止孔
１１２              商品後部係止孔
１１３、１１３      背面板支持突起
１１４              差込溝
１１５              係止溝
１１６              脚部突起
【図１】
2008273535.tif 000003
【図２】
2008273535.tif 000004
【図３】
2008273535.tif 000005
【図４】
2008273535.tif 000006
【図５】
2008273535.tif 000007
【図６】
2008273535.tif 000008